(57)【要約】【課題】欠陥画素情報と飽和情報を正しく伝搬し、各情報を使用する欠陥画素補正やＡＦ処理を正しく行うこと。【解決手段】複数の画素が２次元状に配列された撮像素子と、撮像素子から出力された複数の画素からなる画像信号中の欠陥画素を識別可能な欠陥画素情報を付与する欠陥画素情報付与手段と、画像信号中の飽和画素であることが識別できる飽和画素情報を付与する飽和画素情報付与手段と、欠陥画素情報および飽和情報が維持されるように伝搬する機能を備えた信号処理回路を有する撮像装置において、信号処理回路は、欠陥画素情報および飽和画素情報が付与されている場合には欠陥画素情報の付与方法を変更して情報伝搬するようにすることを特徴とする。【選択図】図１
2018207431.tif 000002
【特許請求の範囲】
【請求項１】
複数の画素が２次元状に配列された撮像素子と、
撮像素子から出力された複数の画素からなる画像信号中の欠陥画素を識別可能な欠陥画素情報を付与する欠陥画素情報付与手段と、
画像信号中の飽和画素であることが識別できる飽和画素情報を付与する飽和画素情報付与手段と、
欠陥画素情報および飽和情報が維持されるように伝搬する機能を備えた信号処理回路を有する撮像装置において、
信号処理回路は、欠陥画素情報および飽和画素情報が付与されている場合には
欠陥画素情報の付与方法を変更して情報伝搬するようにすることを特徴とする撮像装置。
【請求項２】
信号処理回路は、欠陥画素情報および飽和画素情報が付与されている場合には画像信号中に付与されている飽和画素情報のビット位置とは異なる位置に欠陥画素情報を付与するビット位置を変更することを特徴とする請求項１に記載の撮像装置。
【発明の詳細な説明】
【技術分野】
【０００１】
本発明は、撮像装置に関し、特に撮像素子の欠陥画素や飽和画素などの識別情報を映像信号に付与して画像信号処理を行う技術に関する。
【背景技術】
【０００２】
従来、ＣＭＯＳイメージセンサなどの撮像素子の欠陥画素を、画像信号処理にて補正する技術がある。欠陥画素を検出してから、補正するまでの過程で、欠陥画素の検出情報がそこなわれないように、欠陥画素検出手段によって検出された欠陥画素情報を、欠陥画素補正手段まで、伝搬する必要がある。
【０００３】
特許文献１には、欠陥画素が検出された場合には、該当画素値を予め定められた固定値にすることで伝搬する方法が提案されている。
【先行技術文献】
【特許文献】
【０００４】
【特許文献１】特開２００８−１１８５７０号公報
【発明の概要】
【発明が解決しようとする課題】
【０００５】
近年、撮像素子の各画素が飽和しているかどうかを検出し、飽和情報を用いてＡＦなどの信号処理に使用する用途があり、これも飽和画素情報を伝搬する必要がある。
【０００６】
例えば、欠陥画素情報、飽和画素情報の２つ情報伝搬方法が同一では、情報が混在してしまい、正しく欠陥画素・飽和画素を使用した信号処理ができなくなるという課題がある。
【課題を解決するための手段】
【０００７】
上記の課題を解決するために、本発明に係る撮像装置は、
複数の画素が２次元状に配列された撮像素子と、撮像素子から出力された複数の画素からなる画像信号中の欠陥画素を識別可能な欠陥画素情報を付与する欠陥画素情報付与手段と、画像信号中の飽和画素であることが識別できる飽和画素情報を付与する飽和画素情報付与手段と、欠陥画素情報および飽和情報が維持されるように伝搬する機能を備えた信号処理回路を有する撮像装置において、
信号処理回路は、欠陥画素情報および飽和画素情報が付与されている場合には欠陥画素情報の付与方法を変更して情報伝搬するようにすることを特徴とする。
【発明の効果】
【０００８】
本発明に係る撮像装置によれば、欠陥画素情報および飽和画素情報を正しく伝搬することが可能になる。
【図面の簡単な説明】
【０００９】
【図１】本発明の撮像装置の実施例を示すブロック図
【図２】実施例の画素信号の説明図
【図３】実施例の欠陥画素情報付与手段の動作説明フローチャート
【図４】実施例の飽和画素情報付与手段の動作説明フローチャート
【図５】実施例の信号処理手段の画素情報伝搬動作説明フローチャート
【発明を実施するための形態】
【００１０】
以下、図面を参照しながら本発明の好適な実施の形態を説明する。
【実施例】
【００１１】
図１は本実施形態による撮像装置の構成を説明するブロック図である。
【００１２】
１０１は複数の画素が２次元状に配置された画素配列をもつ撮像素子である。
【００１３】
１０２は撮像素子１０１入力された複数の画素信号からなる画像信号に対して、画像信号中の欠陥画素が識別できるように画像信号に欠陥画素情報を付与する欠陥画素情報付与手段である。欠陥画素情報付与手段１０２は、入力画像信号に対して欠陥画素を検出して欠陥画素情報を付与してもよいし、予め検出された欠陥画素の位置情報をもち、入力画像信号に対して位置情報をもとに欠陥画素情報を付与してもよい。
【００１４】
１０３は入力された画像信号に対して、予め設定された閾値を超える画素値を有する画素を飽和画素とし、飽和画素情報を付与する飽和画素情報付与手段である。
【００１５】
１０４は欠陥画素補正手段１０５やＡＦ演算手段１０６より前に、画像信号に対して
信号処理を行うとともに、入力された欠陥画素情報や飽和画素情報を出力に伝搬する信号処理手段である。
【００１６】
１０５は欠陥画素情報を利用して欠陥画素補正を行う、欠陥画素補正手段である。
【００１７】
１０６は飽和画素情報を利用してＡＦ演算を行うＡＦ演算手段である。本実施例ではＡＦ演算手段としたが、飽和画素情報を利用するのであれば、ＡＦ演算以外の信号処理であってもよい。
【００１８】
次に図１の構成において、欠陥画素情報、飽和画素情報の両方が付与されている場合の情報の伝搬方法について、図２から図５を用いて説明する。
【００１９】
図２は本実施例で扱われる画素信号を説明する概念図で、Ｎｂｉｔの信号を表す。ａからｉは以降説明する動作中での画素信号状態を表す。
【００２０】
図３は欠陥画素付与手段における欠陥画素情報付与方法を表すフローチャートである。
【００２１】
欠陥画素情報付与手段１０２において、画素信号入力３０１において入力される画素信号を図２ａとする。この画素が欠陥画素かどうかを判断し（３０２）、非欠陥画素は、入力された画素値をそのまま出力し、欠陥画素である場合は、欠陥画素情報を付与する（３０３）。付与される欠陥情報は、図２ｂのように全てのｂｉｔが０となる。
【００２２】
図４は飽和画素情報付与手段１０３における飽和画素情報付与方法を表すフローチャートである。
【００２３】
飽和画素情報付与手段１０３において、画素信号入力４０１において入力される画素信号を図２ａとする。この画素が飽和画素かどうかを判断する（４０２）。画素信号のｂｉｔ（０）を飽和情報ビットとし飽和画素情報が付与される。非飽和画素は、ｂｉｔ（０）を０にし（４０３）、飽和画素はｂｉｔ（０）を１にする（４０４）方法で飽和画素情報を付与する。
【００２４】
図５は信号処理手段１０４における欠陥画素情報および飽和画素情報の伝搬方法を表すフローチャートである。
【００２５】
信号処理手段１０４は飽和画素情報および欠陥画素情報を以下のように伝搬する。信号処理手段は１０４において、画素信号入力５０１において入力された画素信号に対して、欠陥画素情報があるかどうかの判断（５０２）と飽和画素情報があるかどうかの判断（５０、５０４）が行われる。
【００２６】
非欠陥画素かつ非飽和画素の場合には、所望の信号処理が行われる（５０５）。
【００２７】
信号処理の出力結果が、図２ｂのように全ｂｉｔが０になっているかどうかを判断する（５０６）。出力結果が０になっていない場合には、出力結果に対して飽和画素情報を付与する（５０７）。非飽和画素なので図２ｅのようにｂｉｔ（０）に０が付与される。出力結果が０になっている場合には、そのまま出力すると欠陥画素情報として誤認識されてしまう。またｂｉｔ（０）は飽和画素情報として使用されているので、図２ｆのようにｂｉｔ（１）を１にしｂｉｔ（０）を０にして出力する（５０８）。
【００２８】
非欠陥画素かつ飽和画素の場合には、所望の信号処理が行われる（５０９）。
【００２９】
信号処理の出力結果が、図２ｂのように全ｂｉｔが０になっているかどうかを判断する（５１０）。出力結果が０になっていない場合には、出力結果に対して飽和画素情報を付与する（５１１）。飽和画素なので図２ｇのようにｂｉｔ（０）に１が付与される。出力結果が０になっている場合には、そのまま出力すると欠陥画素情報として誤認識されてしまう。またｂｉｔ（０）は飽和画素情報として使用されているので、図２ｈのようにｂｉｔ（１）を１にしｂｉｔ（０）を１にして出力する（５１２）。
【００３０】
欠陥画素かつ非飽和画素の場合には、入力画素値は図２ｂのように全ｂｉｔが０なのでそのまま全ｂｉｔが０で出力する（５１３）。
【００３１】
欠陥画素かつ飽和画素の場合には、入力画素値は図２ｉのようにｂｉｔ（０）が１でその他のｂｉｔは０なので、ｂｉｔ（０）が１として出力する（５１４）。
【００３２】
信号処理手段１０４が複数あった場合にも、それぞれで同じ伝搬処理を行う。
【００３３】
欠陥画素補正手段１０５ではＬＳＢの飽和情報ビットを除去すれば欠陥画素のみ固定値０となるのでただしく欠陥画素補正が行われる。欠陥画素補正手段１０５も飽和情報の伝搬は行うことによりＡＦ手段１０６にも飽和情報が入力され、正しく、飽和情報を利用したＡＦ処理を行うことができる。
【００３４】
上記のように、欠陥画素情報および、飽和画僧情報が付与状態に応じて伝搬させる情報のビット位置を変えることで正しく情報を伝搬させることが可能になる。
【符号の説明】
【００３５】
１０１  撮像素子、１０２  欠陥画素情報付与手段、１０３、飽和画素情報付与手段、
１０４  信号処理手段、１０５、欠陥画素補正手段、１０６  ＡＦ演算手段
【図１】
2018207431.tif 000003
【図２】
2018207431.tif 000004
【図３】
2018207431.tif 000005
【図４】
2018207431.tif 000006
【図５】
2018207431.tif 000007